(57)【特許請求の範囲】
【請求項１】
記録用紙に印刷可能な印刷手段と、前記記録用紙に印刷するための複数の印刷情報と、この複数の印刷情報の中から前記印刷手段で印刷するものを選択するための選択手段と、収納した複数枚の前記記録用紙を前記印刷手段に給紙可能な給紙ローラを有する給紙手段とを備え、前記記録用紙を昇降させて前記給紙ローラに圧接状態、及び非圧接状態に動作可能な昇降手段を有し、前記選択手段を操作して、前記印刷情報の選択を開始すると共に前記昇降手段により前記記録用紙を前記給紙ローラ側に上昇させて前記圧接状態とし、前記選択手段による前記印刷情報の選択終了後、前記給紙ローラを回転させて前記圧接状態の前記記録用紙を前記印刷手段側に搬送し、前記選択手段で選択した前記印刷情報を前記記録用紙に印刷するようにしたプリンタであって、
前記複数の印刷情報を記憶する記憶手段と、前記選択手段により前記複数の印刷情報の中から選択された所望の印刷情報を印刷することを決定する決定手段とを有し、前記選択手段による前記所望の印刷情報の選択終了後、前記決定手段を操作することにより、前記給紙ローラを回転させるようにしたことを特徴とするプリンタ。
【請求項２】
前記給紙手段は、複数の種類の記録用紙をそれぞれ種類毎に収納可能な複数の用紙トレーを有し、前記選択手段は、前記複数の記録用紙の中から前記印刷情報に対応した種類の前記記録用紙を選択可能となし、前記選択手段を操作して、前記印刷情報の選択を開始すると共に前記昇降手段により前記複数の用紙トレーに収納しているそれぞれの前記記録用紙を前記圧接状態とし、前記所望の印刷情報の選択終了後、前記決定手段を操作して、前記所望の印刷情報に対応した前記記録用紙が圧接している側の前記給紙ローラのみを回転させるようにしたことを特徴とする請求項１記載のプリンタ。
【請求項３】
前記給紙手段は、はがき等の厚紙から成る前記記録用紙を収納可能な第１用紙トレーと、前記はがき等の厚紙より薄いコピー紙等の薄紙から成る前記記録用紙を収納可能な第２用紙トレーとを有することを特徴とする請求項２記載のプリンタ。
【発明の詳細な説明】
【０００１】
【発明の属する技術分野】
本発明はプリンタに係わり、特に複数の印刷情報を選択する選択手段を有するプリンタに関する。
【０００２】
【従来の技術】
従来のプリンタを例えば熱転写プリンタで説明すると、従来のプリンタは、図８に示すように、給紙部４０と、印刷手段４４とが本体部（図示せず）内に配設されて構成されている。
前記給紙部４０は、複数枚の記録用紙２を収納可能な用紙トレー４１が装着可能になっており、用紙トレー４１内部の前方側底部には、回動可能なホッパー部材４２が配設されている。
このホッパー部材４２は、下面側に矢印Ａ方向の上方に弾性付勢する弾性部材（図示せず）が配設され、支点４２ａを回動中心として前方部４２ｂが回動可能になっている。
【０００３】
前記ホッパー部材４２には、用紙トレー４１に収納している記録用紙２の前端部２ａ寄りが載置されるようになっている。前記用紙トレー４１に収納した記録用紙２の搬送方向Ｂの下流側上方には、図示反時計回り方向の矢印方向に回転可能な給紙ローラ４３が配設されている。
この給紙ローラ４３には、ホッパー部材４２に載置された最上部の記録用紙２の前端部２ａ寄りが弾性付勢されて圧接されている。
そして、給紙ローラ４２を反時計回り方向に回転させることで、用紙トレー４１内の記録用紙２を１枚づつ分離して、用紙搬送方向Ｂの下流側の印刷手段４４に搬送可能になっている。
【０００４】
前記印刷手段４４には、平板状のプラテン４５と、このプラテン４４と対向する図示上方にプラテン４５に対して接離可能なサーマルヘッド４６が、矢印Ｃ方向に移動可能に配設されている。
また、印刷手段４４には、用紙搬送方向Ｂのプラテン４５の上流側に、回転自在な紙送りローラ４７とこの紙送りローラ４７に圧接する圧接ローラ４８とが配設されている。
また、本体部（図示せず）内には、複数の印刷情報の中から所望の印刷情報を選択する選択手段（図示せず）が設けられている。
【０００５】
このような従来のプリンタによる記録用紙２への印刷動作を、図９に示す操作手順に基づいて説明すると、まず、前記選択手段を操作して、複数の印刷情報の中から所望の印刷情報を選択する。
そして、前記所望の印刷情報を選択後、用紙トレー４１内に収納している記録用紙２の前方側を、ホッパー部材４２により下方から弾性付勢して給紙ローラ４３に圧接して圧接状態とする。
【０００６】
この圧接状態から、給紙ローラ４３を矢印方向の反時計回り方向に回転させて、記録用紙２を用紙搬送方向Ｂの下流側の印刷手段４４に搬送する。
そして、印刷手段４４に送られてきた記録用紙２を、紙送りローラ４７と圧接ローラ４８とで圧接狭持して、紙送りローラ４８の図示時計回り方向の回転で、記録用紙２を離間状態にあるプラテン４５とサーマルヘッド４６の間に搬送する。
【０００７】
そして、記録用紙２の印刷開始位置をサーマルヘッド４６の発熱素子（図示せず）が形成された部分に位置合わせした状態で、紙送りローラ４７と給紙ローラ４３の回転を停止する。
前記サーマルヘッド４６と記録用紙２との間には、所望の色のインクが塗布されたインクリボン（図示ず）が配設されている。
そして、サーマルヘッド４６をプラテン４５側に移動させて、インクリボンと記録用紙２とをプラテン４４に圧接し、前記選択手段で選択した所望の印刷情報に従って、サーマルヘッド４６の発熱素子（図示せず）を選択的に発熱させ、インクリボン（図示せず）のインクを記録用紙２に熱転写して、所望の書式から成る画像を印刷していた。
【０００８】
【発明が解決しようとする課題】
前述したような従来のプリンタは、選択手段で選択する複数の印刷情報の種類が、３０〜５０あり、この多くの種類の中から所望の印刷情報を選択するのに時間が掛かって、選択手段を操作してから記録用紙２に印刷終了するまでの時間が長く掛かっていた。
本発明は、前述したような問題点に鑑みてなされたもので、給紙ローラに記録用紙を圧接する動作と、複数の印刷情報の中から所望の印刷情報を選択する動作とを同時に並行して行うようことにより、選択手段の操作開始から印刷終了までに掛かる時間を短縮することができるプリンタを提供することを目的とする。
【０００９】
【課題を解決するための手段】
前記課題を解決するための第１の解決手段として本発明のプリンタは、記録用紙に印刷可能な印刷手段と、前記記録用紙に印刷するための複数の印刷情報と、この複数の印刷情報の中から前記印刷手段で印刷するものを選択するための選択手段と、収納した複数枚の前記記録用紙を前記印刷手段に給紙可能な給紙ローラを有する給紙手段とを備え、前記記録用紙を昇降させて前記給紙ローラに圧接状態、及び非圧接状態に動作可能な昇降手段を有し、前記選択手段を操作して、前記印刷情報の選択を開始すると共に前記昇降手段により前記記録用紙を前記給紙ローラ側に上昇させて前記圧接状態とし、前記選択手段による前記印刷情報の選択終了後、前記給紙ローラを回転させて前記圧接状態の前記記録用紙を前記印刷手段側に搬送し、前記選択手段で選択した前記印刷情報を前記記録用紙に印刷するようにしたプリンタであって、
前記複数の印刷情報を記憶する記憶手段と、前記選択手段により前記複数の印刷情報の中から選択された所望の印刷情報を印刷することを決定する決定手段とを有し、前記選択手段による前記所望の印刷情報の選択終了後、前記決定手段を操作することにより、前記給紙ローラを回転させるような構成とした。
【００１０】
また、前記課題を解決するための第２の解決手段として、前記給紙手段は、複数の種類の記録用紙をそれぞれ種類毎に収納可能な複数の用紙トレーを有し、前記選択手段は、前記複数の記録用紙の中から前記印刷情報に対応した種類の前記記録用紙を選択可能となし、前記選択手段を操作して、前記印刷情報の選択を開始すると共に前記昇降手段により前記複数の用紙トレーに収納しているそれぞれの前記記録用紙を前記圧接状態とし、前記所望の印刷情報の選択終了後、前記決定手段を操作して、前記所望の印刷情報に対応した前記記録用紙が圧接している側の前記給紙ローラのみを回転させるような構成とした。
【００１１】
また、前記課題を解決するための第３の解決手段として、前記給紙手段は、はがき等の厚紙から成る前記記録用紙を収納可能な第１用紙トレーと、前記はがき等の厚紙より薄いコピー紙等の薄紙から成る前記記録用紙を収納可能な第２用紙トレーとを有する構成とした。
【００１３】
【発明の実施の形態】
以下、本発明のプリンタを、例えば熱転写プリンタで説明すると、まず、本発明のプリンタは、図２に示すように、鉄板等の金属で覆われて本体部１が形成されている。
この本体部１の図示下方側に給紙部３が形成され、この給紙部３は、２点差線で示すような第１、第２トレー装着部４、５の２つのトレー装着部４，５が形成されており、第１、第２トレー装着部４、５は、それぞれトレー挿入口４ａ、５ａを有している。
【００１４】
前記第１トレー装着部４には、図３に示すような第１用紙トレー６が装着可能になっており、第１用紙トレー６は、複数枚のはがき等の厚紙から成る記録用紙２を収納可能になっている。
また、第２トレー装着部５には、図４に示すような、第２用紙トレー７が装着可能になっており、第２用紙トレー７は、Ａ４サイズ等で、コピー紙等の前記はがきより薄い薄紙から成る記録用紙２を収納可能になっている。
【００１５】
前記第１用紙トレー６は、図３に示すように、周囲を矩形状の側壁６ａで囲まれた、はがき等の厚紙から成る記録用紙２を収納可能な収納部６ｂが所定の深さで形成されている。
また、図３に示す第１用紙トレー６は、側壁６ａの右寄りに、後述するレバー１５、１６が係脱可能な、所定の幅と深さのレバー係脱溝６ｃが形成されている。
前記レバー係脱溝６ｃが形成された部分の側壁６ａには、後述する可動部材１０を上下動可能に保持する縦長のガイド孔６ｄが貫通形成されている。
【００１６】
前記収納部６ｂの底部には、２本の支持棒８ａ、８ｂを支持部８ｃで交差状に組み合わせた支持部材８が配設され、この支持部材８の上に平板状の第１ホッパー部材９が取り付けられている。
前記支持部材８は、支持部８ｃを支点としてパンタグラフのように動作することで、第１ホッパー部材９が収納部６ｂ内を水平状態で昇降可能になっている。
【００１７】
前記縦長のガイド孔６ｄには、第１ホッパー部材９と後述する昇降手段１４のレバー１５、１６との間に配設された、棒状の第１可動部材１０が保持されている。この第１可動部材１０は、記録用紙２を後述する印刷手段２１側に搬送する搬送方向Ｄと直交する方向に配設され、ガイド孔６ｄに昇降自在に挿入されている。
このような棒状の第１可動部材１０は、両端部に当接部１０ａが形成され、図６に示すように、レバー係脱溝６ｃが形成された部分の、互いに対向する両側壁６ａ、６ａから当接部１０ａを突出させた状態でガイド孔６ｄに配設されている。
前記当接部１０ａには、回転自在のパイプ状のカランが取り付けられている。
【００１８】
また、図４に示すような第２用紙トレー７は、周囲を矩形状の側壁７ａで囲まれた収納部７ｂが形成され、この収納部７ｂに前記薄紙から成る記録用紙２を収納可能に所定の深さで形成されている。
また、第２用紙トレー７は、図４の側壁７ａの右寄りに、後述する昇降手段１４のレバー１５、１６が係脱可能な、所定の幅と深さでのレバー係脱溝７ｃが形成されている。
前記レバー係脱溝７ｃが形成された部分の側壁７ａには、縦長のガイド孔７ｄが貫通形成されている。
【００１９】
前記収納部７ｂ底部の図示右寄りには、平板状の第２ホッパー部材１１が配設されている。この第２ホッパー部材１１は、図示左側に形成された回動支点１１ａが収納部７ｂを構成する側壁７ａの内面に取り付けられ、回動支点１１ａを支点として、図示右側の他方側１１ｂが昇降可能になっている。
前記縦長のガイド孔７ｄには、第２ホッパー部材１１と後述する昇降手段１４のレバー１５、１６との間に配設された、棒状の第２可動部材１２が保持されている。
【００２０】
この第２可動部材１２は薄紙から成る記録用紙２を後述する印刷手段２１側に搬送する搬送方向Ｄと直交する方向に配設されている。
そして、第２可動部材１２は、第１用紙トレー６と同様に、レバー係脱溝７ｃが形成された、互いに対向する両側壁７ａから両端部が突出して配設され、この両端部に当接部１３ａが形成されている。
この当接部１３ａには、第１可動部材１０と同様に回転自在のパイプ状のカランが取り付けられている。
【００２１】
前記第１、第２トレー装着部４、５の奥側の上方には、図１、２に示すような回転軸１３ａに固着された、破線で示すような複数の円柱状の給紙ローラ１３が等間隔で配設されている。
この給紙ローラ１３は、材質がゴム等から成り、図５に示すように外周表面には、軸方向に筋状の凹凸が複数形成されて、外周表面に圧接される記録用紙２がスリップしにくいようになっている。
【００２２】
また、第１、第２トレー装着部４、５には、第１、第２用紙トレー６、７に収納した記録用紙２を昇降させて、給紙ローラ１３に圧接状態、または非圧接状態に操作可能な昇降手段１４がそれぞれ配設されている。
そして、例えば第１トレー装着部４側の昇降手段１４により、第１用紙トレー６の第１ホッパー部材９を昇降させ、図５に示す、第１トレー装着部４に装着状態の第１用紙トレー６に収納している、はがき等の厚紙から成る記録用紙２を給紙ローラに対して圧接状態、または非圧接状態に操作可能になっている。
【００２３】
前記第１、第２トレー装着部４、５に配設している昇降手段１４は、どちらも構成が同じなので、第１トレー装着部４側の昇降手段１４のみを説明する。
前記昇降手段１４は、第１可動部材１０の当接部１０ａに当接させた状態で第１ホッパー部材９を昇降可能に支持する一対のレバー１５、１６を有している。
この一対のレバー１５、１６は、鉄板等の金属板から成り、図６に示すように、一方側に回動支点１５ａ、１６ａを有し、他方側に自由端部１５ｂ、１６ｂを有し、この自由端部１５ｂ、１６ｂには舌辺状の押し上げ部１５ｃ、１６ｃが互いに対向する位置に形成されて、外形が略Ｌ字状になっている。
前記一対のレバー１５、１６は、第１トレー装着部４に装着した第１用紙トレー６の左右（図６では上下）の側壁６ａ、６ａの外側に、互いに対向状態で配設されている。
【００２４】
前記レバー１５は、図６に示す本体部１の図示下方の側板１ｂに取り付けられた支持軸１ｄに、回動支点１５ａを取り付け、この回動支点１５ａを支点として他方側の自由端部１５ｂが昇降可能になっている。
また、レバー１６は図示上方の側板１ａに取り付けられた支持軸１ｃに、回動支点１６ａを取り付け、この回動支点１６ａを支点として他方側の自由端部１６ｂが昇降可能になっている。
【００２５】
前記レバー１５、１６は、自由端部１５ｂ、１６ｂが第１トレー装着部４の奥側に位置すると共に、回動支点１５ａ、１６ａが第１トレー装着部４のトレー挿入口４ａ寄りに取り付けられている。
そして、レバー１５、１６の回動による自由端部１５ｂ、１６ｂの昇降により、押し上げ部１５ｃ、１６ｃが第１可動部材１０の当接部１０ａに当接して、第１可動部材１０を介して第１ホッパー部材９が昇降可能になっている。
【００２６】
また、本体部１の側板１ａ、１ｂには図１に示すような引っ張りコイルバネから成る弾性部材１７の一方側がそれぞれ取り付けられ、この弾性部材１７の他方側にはレバー１５、１６が取り付けられて、レバー１５、１６の自由端部１５ｂ、１６ｂが上方に弾性付与されている。
そして、レバー１５、１６は、弾性部材１７による上方への弾性付与で、自由端部１５ｂ、１６ｂが上方に牽引されて上昇し、第１可動部材１０を介して第１ホッパー部材９を上昇させるようになっている。
【００２７】
また、昇降手段１４は、弾性部材１７の弾性付与に抗して、レバー１５、１６を押し下げ可能な一対のカム部材１８を有し、このカム部材１８は、レバー１５、１６の自由端部１５ｂ、１６ｂの上方に回動中心が位置するように配設されている。
前記一対のカム部材１８は、図５に示すように、回動中心が連結軸１８ｄで連結されて一体化されている。
また、カム部材１８は、図２に示すように、回動中心から半径の大きな長尺辺１８ａと、回動中心から半径の小さな短尺辺１８ｂとに挟まれた、半径の異なる円弧状のカム部１８ｃが形成されている。
【００２８】
また、一対のカム部材１８の内の一方側には、図２に示す給紙ローラ１３の外径より若干大きい駆動部１８ｅが形成され、駆動部１８ｅの外周部の一部にはカム部材１８を回動させるための複数の歯山が形成されている。
そして、図示しない駆動源から駆動部１８ｅに動力が伝達されて一方のカム部材１８が回動する、駆動部１８ｅのない他方のカム部材１８も、連結軸１８ｄを介して同時に回動するようになっている。
また、前記カム部１８ｃは、図２に示すように、駆動部１８ｅから突出して形成されている。
【００２９】
前記カム部材１８は、回動中心が給紙ローラ１３の回転軸１３ａに取り付けられている。そして、図示しない駆動源の回転が駆動部１８ｅに伝達されて、カム部材１８が給紙ローラ１３とは独立して回転可能になっており、カム部材１８を回転させることにより、レバー１５、１６の自由端部１５ｂ、１６ｂを降下させるようになっている。
【００３０】
また、図８に示す２つの給紙ローラ１３、１３に挟まれた位置の回転軸１３ａと連結軸１８ｄには、第１用紙トレー６に収納している記録用紙２の有無を検出可能な反射式のフォトセンサーから成検出部材２５が取り付けられている。
この検出部材２５は、ホルダー２６に取り付けられて、給紙ローラ１３の回転軸１３ａと、カム部材１８の連結軸１８ｄとにスナップ係合されて、２つの給紙ローラ１３、１３の間に配設されている。
【００３１】
そして、昇降手段１４により記録用紙２を上昇させて、記録用紙２が給紙ローラ１３に圧接状態の時に、検出部材２５で記録用紙２の有無を検出可能になっている。
また、第１ホッパー部材９は、図８に示すように、厚紙から成る記録用紙２を第１ホッパー部材９に載置した状態で、昇降手段１４により第１ホッパー部材９を上昇させて、記録用紙２が給紙ローラ１３に圧接状態となる。
【００３２】
また、図１に示す記録用紙２の搬送方向Ｄの給紙ローラ１３の下流側には、それぞれ異なる形状の第１、第２用紙ガイド１９、２０が配設されている。
また、記録用紙２の搬送方向Ｄの第１、第２用紙ガイド１９、２０の下流側には、記録用紙２に印刷可能な印刷手段２１が配設されている。
この印刷手段２１は、給紙ローラ１３の回転により第１、または第２用紙トレー６、７から送られてくる記録用紙２を、紙送りローラ（図示せず）と圧接ローラ（図示せず）との間に圧接狭持して、下流側のプラテン２２とサーマルヘッド２３の間に搬送される。
【００３３】
前記サーマルヘッド２３は、プラテン２２に沿って往復移動可能なキャリッジ２４に搭載され、印刷時はプラテン２２側にヘッドダウン可能になっている。
また、キャリッジ２４には、所望の色のインクが塗布されたインクリボンを収納するリボンカセット３０が載置可能になっており、印刷時はプラテン２２とサーマルヘッド２３との間に記録用紙２とインクリボンとを位置させた状態で、サーマルヘッド２３をプラテン２２側にヘッドダウンさせて、印刷情報に対応して、サーマルヘッド２３の発熱素子を選択的に発熱させ、記録用紙２にインクリボンのインクを転写して、所望の書式から成る画像を印刷するようになっている。
【００３４】
本発明のプリンタは、本体部１内に、それぞれ異なる複数の印刷書式を印刷情報に変換して記憶したＲＯＭ等から成る記憶手段（図示せず）と、この記憶手段に記憶している複数の印刷情報の中から所望の印刷情報を選択する選択手段（図示せず）と、この選択手段により選択された所望の印刷情報を印刷手段２１で印刷することを決定する決定手段（図示せず）とを有している。
前記記憶手段には、例えば３０〜５０種類の複数の印刷情報が記憶されている。
【００３５】
また、本体部１には、外周全体を覆うようなケース（図示せず）が配設され、このケースの外面の一部に、操作パネル（図示せず）が設けられている。
この操作パネルには、前記選択手段を操作するための選択スイッチ、及び前記決定手段を操作するための決定スイッチ等が設けられている。
また、前記操作パネルには、キャンセルボタン（図示せず）が設けられており、第１、第２用紙トレー６、７に収納しているそれぞれの記録用紙２を上昇させて、給紙ローラ１３に圧接状態にある時、前記キャンセルボタンを押圧することで、それぞれの記録用紙２の前記圧接状態を解除して非圧接状態とすることができるようになっている。
【００３６】
前述したような本発明のプリンタの動作を説明すると、図２に示す第１、第２トレー装着部４、５のそれぞれのレバー１５、１６の自由端部１５ｂ、１６ｂは、カム部材１８により降下状態にあり、この第１、第２トレー装着部４、５には、異なる種類の記録用紙２を収納した第１、第２用紙トレー６、７が装着されている。
前記第１、第２トレー装着部４、５に第１、第２用紙トレー６、７が装着されていることを確認してから、図７の操作手順に示すように、前記操作パネルの選択スイッチを操作して、複数の印刷情報の中から所望の印刷情報の選択を開始する。
【００３７】
次に、前記選択スイッチの操作により、この操作信号を図示しない制御部が検知すると、駆動源（図示せず）を動作させて、第１、第２トレー装着部４、５の、それぞれの昇降手段１４のカム部材１８を、図２の状態から図１に示すように、略９０゜回転させる。
すると、自由端部１５ｂ、１６ｂが弾性部材１７で上方に牽引され、第１、第２用紙トレー６、７のそれぞれの記録用紙２が給紙ローラ１３に圧接されて圧接状態となる。
即ち、本発明のプリンタは、前記選択手段を操作して、前記印刷情報の選択を開始すると共に、昇降手段１４により記録用紙を給紙ローラ１３側に上昇させて記録用紙２を前記圧接状態とするような、２つの動作を同時に並行して行うようになっている。
【００３８】
前記記録用紙２が給紙ローラ１３に圧接状態になって、選択手段による所望の印刷情報の選択が終了後、操作パネルの決定手段を操作する。
前記所望の印刷情報に対応する記録用紙２が、例えば、はがき等の厚紙から成る記録用紙２だとすると、第１用紙トレー６の厚紙から成る記録用紙２が圧接している側の給紙ローラ１３のみを、制御部の制御により回転させる。
この第１用紙トレー６側の給紙ローラ１３のみの回転で、第１用紙トレー６の収納部６ｂに収納している最上部の記録用紙２が下部の記録用紙２から分離され、第１用紙ガイド１９を経由して印刷手段２１に搬送される。
そして、所望の印刷情報を印刷手段２１により記録用紙２に印刷して、所望の書式から成る画像を得ることができる。
【００３９】
このように、本発明のプリンタは、複数の印刷情報を選択する選択手段の選択スイッチが操作されると、記録用紙２を圧接状態にする昇降手段１４の動作と、複数の印刷情報の中から所望の印刷情報を選択する動作とを、同時に並行して行うようになっているので、選択手段の選択スイッチを操作してから、記録用紙に所望の書式の画像を印刷するまでのトータルの印刷時間を短縮することができる。
【００４０】
また、本発明のその他の実施の形態として、第１、第２用紙トレー６、７にそれぞれ収納している記録用紙２は、昇降手段１４によりそれぞれ独立して昇降可能となし、前記選択手段を操作して、複数の印刷情報の選択を開始すると共に昇降手段１４により第１、及び第２用紙トレー６、７に収納しているそれぞれの記録用紙２を前記圧接状態とする。
【００４１】
そして、所望の印刷情報の選択終了後、前記決定手段を操作して、所望の印刷情報に不対応の側の第１、または第２用紙トレー６、７に収納している記録用紙２、例えば薄紙から成る記録用紙２を降下させて非圧接状態とし、その後、第１、及び第２用紙トレー７の両方の給紙ローラ１３を回転させるようにしたものでも良い。
このような、その他の実施の形態のプリンタは、第１、及び第２用紙トレー７の両方の給紙ローラ１３を回転させても、所望の印刷情報に対応した記録用紙２を印刷手段２１側に搬送することができ、第１用紙トレー６側、または第２用紙トレー７側の給紙ローラ１３の回転の切り替えを行わなくて良い。
【００４２】
【発明の効果】
以上述べたように、本発明のプリンタは、選択手段を操作して、印刷情報の選択を開始すると共に昇降手段により記録用紙を給紙ローラ側に上昇させて圧接状態とし、前記選択手段による前記印刷情報の選択終了後、前記給紙ローラを回転させて圧接状態の前記記録用紙を印刷手段側に搬送し、前記選択手段で選択した前記印刷情報を前記記録用紙に印刷するようにしたので、記録用紙を圧接状態にする昇降手段の動作と、複数の印刷情報の中から所望の印刷情報を選択する動作とを並行して同時に行うことができ、選択手段を操作してから、記録用紙に所望の書式の画像を印刷するまでの、印刷に要する時間を短縮することができ、印刷効率を向上させたプリンタを提供できる。
【００４３】
また、前記選択手段を操作して、印刷情報の選択を開始すると共に記録用紙を給紙ローラ側に上昇させて圧接状態とし、前記選択手段による前記印刷情報の選択終了後、前記決定手段を操作することにより、前記給紙ローラを回転させるようにしたので、選択手段で選択した印刷情報が所望の印刷情報であるかを確認してから印刷することができ、ミスのない正確な印刷を行うことができるプリンタを提供できる。
【００４４】
また、前記選択手段を操作して、前記印刷情報の選択を開始すると共に前記昇降手段により前記複数の用紙トレーに収納している複数種類の記録用紙をそれぞれ圧接状態とし、前記所望の印刷情報の選択終了後、前記決定手段を操作して、前記所望の印刷情報に対応した前記記録用紙が圧接している側の前記給紙ローラのみを回転させるようにしたので、複数の印刷情報に対応した複数種類の記録用紙を給紙手段に収納することができ、種類の異なる記録用紙を、その都度給紙手段に装着する必要が無く、操作効率の良いプリンタを提供できる。
【００４５】
また、前記給紙手段は、はがき等の厚紙から成る前記用紙を収納可能な第１用紙トレーと、前記はがき等の厚紙より薄いコピー紙等の薄紙から成る前記記録用紙を収納可能な第２用紙トレーとを有するので、第１、第２用紙トレーを昇降させて、所望の印刷情報に対応した記録用紙を、確実に印刷手段に給紙して印刷することができ、用紙選択等のミスを防ぐことができる。
【図面の簡単な説明】
【図１】本発明のプリンタの要部断面図である。
【図２】本発明に係わる昇降手段を説明する要部断面図である。
【図３】本発明に係わる第１用紙トレーの側面図である。
【図４】本発明に係わる第２用紙トレーの側面図である。
【図５】本発明に係わる検出部材の取り付け位置を説明する要部平面図である。
【図６】本発明に係わる第１用紙トレーの装着状態を説明する要部断面図である。
【図７】本発明のプリンタの操作手順を説明する図である。
【図８】従来のプリンタの概略構造を説明する図である。
【図９】従来のプリンタの操作手順を説明する図である。
【符号の説明】
１  本体部
２  記録用紙
３  給紙部
４  第１トレー装着部
４ａ  トレー挿入口
５  第２トレー装着部
５ａ  トレー挿入口
６  第１用紙トレー
６ａ  側壁
６ｂ  収納部
６ｃ  レバー係脱溝
６ｄ  ガイド孔
６ｅ  位置決め部
７  第２用紙トレー
７ａ  側壁
７ｂ  収納部
７ｃ  レバー係脱溝
７ｄ  ガイド孔
７ｅ  位置決め部
８  支持部材
９  第１ホッパー部材
１０  第１可動部材
１１  第２ホッパー部材
１２  第２可動部材
１３  給紙ローラ
１４  昇降手段
１５、１６  レバー
１５ａ、１６ａ  回動支点
１５ｂ  １６ｂ  自由端部
１５ｅ、１６ｅ  ストッパー部
１７  弾性部材
１８  カム部材
１９  第１用紙ガイド
２０  第２用紙ガイド
２１  印刷手段
２５  検出部材
２６  ホルダー
【図１】
0003684316.tif 000002
【図２】
0003684316.tif 000003
【図３】
0003684316.tif 000004
【図４】
0003684316.tif 000005
【図５】
0003684316.tif 000006
【図６】
0003684316.tif 000007
【図７】
0003684316.tif 000008
【図８】
0003684316.tif 000009
【図９】
0003684316.tif 000010